【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
ステントとカテーテルを備え、
前記ステントは、複数の隣接する輪を有する相互接続部材のラチスを有しており、前記各輪は複数のループを有し、前記ラチスは、第１の開放端部及び第２の開放端部を有するほぼ円筒形の形状を画定し、閉鎖形状と開放形状との間で可動であり、複数のブリッジを有し、前記各ブリッジは第１の端部及び第２の端部を有し、前記ステントが前記閉鎖形状及び前記開放形状であるときに、前記各ブリッジの前記第１の端部は一方の輪の１つのループに取り付けられ、前記各ブリッジの前記第２の端部は隣接する輪の１つのループに取り付けられ、前記各ブリッジは、前記閉鎖形状で隣接するブリッジに相互にロックし、前記開放形状で前記隣接するブリッジから分離し、
前記カテーテルは、内側スリーブと前記内側スリーブ上に拡張可能な部材を有しており、前記拡張可能な部材は、つぶれた状態と拡張した状態との間で可動であり、前記ステントは、前記拡張可能な部材がつぶれた状態にあり、前記ステントが前記閉鎖形状にあるとき、前記拡張可能な部材上の前記カテーテルに結合されており、前記拡張可能な部材が前記拡張状態にあり、前記ステントが前記開放形状にあるとき、前記カテーテルから離れる、血管を拡張する装置。
【請求項２】
前記カテーテルは前記ステント上に可動に配置されているカバーを有する請求項１に記載の装置。
【請求項３】
前記拡張可能な部材は膨張可能なバルーンである請求項１に記載の装置。
【請求項４】
前記カバーは外側鞘である請求項３に記載の装置。
【請求項５】
前記外側鞘はポリマーからつくられる請求項４に記載の装置。
【請求項６】
前記ステントは合金からつくられる請求項１に記載の装置。
【請求項７】
前記ステントはステンレススチールからつくられる請求項６に記載の装置。
【請求項８】
前記ステントは超弾性合金でつくられる請求項６に記載の装置。
【請求項９】
前記ステントはニッケルチタン（ＮｉＴｉ）でつくられる請求項８に記載の装置。
【請求項１０】
前記ステントはつぶれても回復可能である請求項１に記載の装置。
【請求項１１】
前記ステントはニッケルチタン（ＮｉＴｉ）でつくられる請求項１０に記載の装置。
【請求項１２】
各ブリッジは突出部とベースとを有し、前記ベースは前記隣接ブリッジから前記突出部を受ける突出部保持部分を有する請求項１に記載の装置。
【請求項１３】
前記各輪は少なくとも１つのストラッツを有する請求項１２に記載の装置。
【請求項１４】
前記各ブリッジは前記ベースから延びている側方アームを有する請求項１２に記載の装置。
【請求項１５】
前記突出保持部分は開口を有する請求項１４に記載の装置。
【請求項１６】
前記ベースと前記突出部との間に延長部が接続されている請求項１５に記載の装置。
【請求項１７】
前記延長部はネック部分を含み、前記突出部は前記ネック部分の上方位置に配置されている請求項１６に記載の装置。
【請求項１８】
前記突出部は少なくとも１つの側方リップ部分を有する請求項１７に記載の装置。
【請求項１９】
前記突出部保持部分は、前記突出部の前記少なくとも１つの側方リップに解放可能に係合する少なくとも１つの側方棚部分を有する請求項１８に記載の装置。
【請求項２０】
前記突出部は、少なくとも１つの側方リップに隣接した少なくとも１つの側壁を有する請求項９に記載の装置。
【請求項２１】
前記突出部保持部分は、前記突出部の前記少なくとも１つの側壁に解放可能に係合するために、少なくとも１つの側方棚部分に隣接する少なくとも１つの側方くぼみ部分を含む請求項２０に記載の装置。
【請求項２２】
前記少なくとも１つの側壁は湾曲している請求項２１に記載の装置。
【請求項２３】
前記少なくとも１つのくぼみ部分は湾曲している請求項２２に記載の装置。
【請求項２４】
前記側方アームは前記相互接続部材を接続する請求項２３に記載の装置。
【請求項２５】
（ａ）ステントとカテーテルを備え、
（ｉ）前記ステントは、複数の隣接する輪を有する相互接続部材のラチスを有しており、前記各輪は複数のループを有し、前記ラチスは、第１の開放端部及び第２の開放端部を有するほぼ円筒形の形状を画定し、閉鎖形状と開放形状との間で可動であり、複数のブリッジを有し、前記各ブリッジは第１の端部及び第２の端部を有し、前記ステントが前記閉鎖形状及び前記開放形状であるときに、前記各ブリッジの前記第１の端部は一方の輪の１つのループに取り付けられ、前記各ブリッジの前記第２の端部は隣接する輪の１つのループに取り付けられ、前記各ブリッジは、前記閉鎖形状で隣接するブリッジに相互にロックし、前記開放形状で隣接するブリッジから分離し、
（ｉｉ）前記カテーテルは、内側スリーブと前記内側スリーブ上に拡張可能な部材を有しており、前記拡張可能な部材は、つぶれた状態と拡張した状態との間で可動であり、前記ステントは、前記拡張可能な部材がつぶれた状態にあり、前記ステントが前記閉鎖形状にあるとき、前記拡張可能な部材上の前記カテーテルに結合されており、前記拡張可能な部材が前記拡張状態にあり、前記ステントが前記開放形状にあるとき、前記カテーテルから離れる、装置を用意する工程と、
（ｂ）血管内に前記装置を挿入する工程と、
（ｃ）前記血管内の所望の位置に前記装置の前記遠位端を配置する工程と、
（ｄ）前記拡張可能な部材によって前記開放形状まで前記ステントを展開する工程と、を有する血管を拡張する方法。
【請求項２６】
前記カテーテルは、前記ステント上に可動に配置されるカバーをさらに有し、前記カバーは、前記ステントが工程（ａ）乃至工程（ｃ）の間に前記開放形状に変化することを防止する請求項２５に記載の方法。
【請求項２７】
前記拡張可能な部材の膨張によって、前記開放形状に前記ステントを展開する工程をさらに有する請求項２５に記載の方法。
【請求項２８】
前記工程（ｂ）乃至工程（ｄ）を実行する前に、前記ブリッジを相互にロックすることによって、前記カテーテルに前記ステントを結合する工程をさらに有する請求項２５に記載の方法。
【請求項２９】
前記工程（ｄ）を実行した後、前記カテーテルを取り除く工程をさらに有する請求項２８に記載の方法。
【請求項３０】
ステントとカテーテルを備え、
（ｉ）前記ステントは、複数の隣接する輪を有する相互接続部材のラチスを有しており、前記各輪は複数のループを有し、前記ラチスは、第１の開放端部及び第２の開放端部を有するほぼ円筒形の形状を画定し、閉鎖形状と開放形状を有し、前記相互接続部材は複数のブリッジを有し、前記各ブリッジは第１の端部及び第２の端部を有し、前記ステントが前記閉鎖形状及び前記開放形状であるときに、前記各ブリッジの前記第１の端部は一方の輪の１つのループに取り付けられ、前記各ブリッジの前記第２の端部は隣接する輪の１つのループに取り付けられ、前記相互接続部材は複数のストラッツを有し、前記各ストラッツは、前記閉鎖形状で隣接するストラッツと相互にロックし、前記開放形状で前記隣接するストラッツから分離し、
（ｉｉ）前記カテーテルは、内側スリーブと前記内側スリーブ上に拡張可能な部材とを有しており、前記拡張可能な部材は、つぶれた状態と拡張した状態との間で可動であり、前記ステントは、前記拡張可能な部材がつぶれた状態にあり、前記ステントが前記閉鎖形状にあるとき、前記拡張可能な部材上の前記カテーテルに結合されており、前記拡張可能な部材が前記拡張状態にあり、前記ステントが前記開放形状にあるとき、前記カテーテルから離れる、血管を拡張する装置。
【請求項３１】
前記カテーテルは、前記ステント上に可動に配置されているカバーを有する請求項３０に記載の装置。
【請求項３２】
前記カバーは外側鞘である請求項３１に記載の装置。
【請求項３３】
前記外側鞘はポリマーからつくられる請求項３２に記載の装置。
【請求項３４】
前記拡張可能な部材は膨張可能なバルーンである請求項３０に記載の装置。
【請求項３５】
前記ステントは合金からつくられる請求項３０に記載の装置。
【請求項３６】
前記ステントはステンレススチールからつくられる請求項３５に記載の装置。
【請求項３７】
前記ステントは超弾性合金でつくられる請求項３５に記載の装置。
【請求項３８】
前記ステントはニッケルチタン（ＮｉＴｉ）でつくられる請求項３７に記載の装置。
【請求項３９】
前記ステントはつぶれても回復可能である請求項３２に記載の装置。
【請求項４０】
前記ステントはニッケルチタン（ＮｉＴｉ）でつくられる請求項３９に記載の装置。
【請求項４１】
前記各ストラッツは突出部とベースとを有し、前記ベースは前記隣接ストラッツの前記突出部を受ける突出部保持部分を有する請求項３０に記載の装置。
【請求項４２】
前記各輪は少なくとも１つのストラッツを有する請求項４１に記載の装置。
【請求項４３】
前記各ストラッツは前記ベースから延びている側方アームを有する請求項４１に記載の装置。
【請求項４４】
前記突出保持部分は、開口を有する請求項４３に記載の装置。
【請求項４５】
前記ベースと前記突出部との間に延長部が接続されている請求項４４に記載の装置。
【請求項４６】
前記突出部は、少なくとも１つの側方リップ部分を有する請求項４５に記載の装置。
【請求項４７】
前記突出部保持部分は、前記突出部の前記少なくとも１つの側方リップに解放可能に係合する少なくとも１つの側方棚部分を有する請求項４６に記載の装置。
【請求項４８】
前記突出部は、少なくとも１つの側方リップに隣接した少なくとも１つの側壁を有する請求項４７に記載の装置。
【請求項４９】
前記突出部保持部分は、前記突出部の前記少なくとも１つの側壁に解放可能に係合するために、少なくとも１つの側方棚部分に隣接する少なくとも１つの側方くぼみ部分を含む請求項４８に記載の装置。
【請求項５０】
前記少なくとも１つの側壁は湾曲している請求項４９に記載の装置。
【請求項５１】
前記少なくとも１つのくぼみ部分は湾曲している請求項５０に記載の装置。
【請求項５２】
前記側方アームは前記相互接続部材を接続する請求項５１に記載の装置。
【請求項５３】
（ａ）ステントとカテーテルを備え、
（ｉ）前記ステントは、複数の隣接する輪を有する相互接続部材のラチスを有しており、前記各輪は複数のループを有し、前記ラチスは、第１の開放端部及び第２の開放端部を有するほぼ円筒形の形状を画定し、閉鎖形状と開放形状との間で可動であり、前記相互接続部材は複数のブリッジを有し、前記各ブリッジは第１の端部及び第２の端部を有し、前記ステントが前記閉鎖形状及び前記開放形状であるときに、前記各ブリッジの前記第１の端部は一方の輪の１つのループに取り付けられ、前記各ブリッジの前記第２の端部は隣接する輪の１つのループに取り付けられ、前記ループを接続する複数のストラッツを有し、前記各ストラッツは、前記閉鎖形状で前記隣接するストラッツと相互にロックし、前記開放形状で前記隣接するストラッツから分離し、
（ｉｉ）前記カテーテルは、内側スリーブと前記内側スリーブ上に拡張可能な部材とを有しており、前記拡張可能な部材は、つぶれた状態と拡張した状態との間で可動であり、前記ステントは、前記拡張可能な部材がつぶれた状態にあり、前記ステントが前記閉鎖形状にあるとき、前記拡張可能な部材上の前記カテーテルに結合されており、前記拡張可能な部材が前記拡張状態にあり、前記ステントが前記開放形状にあるとき、前記カテーテルから離れる、装置を用意する工程と、
（ｂ）血管内に前記装置を挿入する工程と、
（ｃ）前記血管内の所望の位置に前記装置の前記遠位端を配置する工程と、
（ｄ）前記拡張可能な部材によって前記開放形状まで前記ステントを展開する工程と、を有する血管を拡張する方法。
【請求項５４】
前記カテーテルは、前記ステント上に可動に配置されるカバーをさらに有し、前記カバーは、前記ステントが工程（ａ）乃至工程（ｃ）の間に前記開放形状に変化することを防止する請求項５３に記載の方法。
【請求項５５】
前記拡張可能な部材の膨張によって、前記ステントを前記開放形状に展開する工程をさらに有する請求項５４に記載の方法。
【請求項５６】
前記工程（ｂ）乃至工程（ｄ）を実行する前に、前記ストラッツを相互にロックすることによって、前記カテーテルに前記ステントを結合する工程をさらに有する請求項５３に記載の方法。
【請求項５７】
前記工程（ｄ）を実行した後、前記カテーテルを取り除く工程をさらに有する請求項５６に記載の方法。